(57)【要約】【課題】製造コストを上げることなく、小型でかつ窓付き封筒の採用を実現できる。【解決手段】封筒部２０が冊子状のフォーム部３０に一体的に連接され、そのフォーム部３０に添付される申込書類３１に必要事項を記入した後に、封筒部２０に封入して送付できるようにしたフォームであり、台紙１１上に、封筒部２０とフォーム部３０とが設けられ、カード部４０は、封筒部２０の一部に設けられており、封筒上紙２１の一部を切り離すカード基材２１ａと、透明又は半透明で透視可能な透明性基材４１とが、粘着剤層４２で貼り合わされ、擬似接着構造層４３によって再剥離可能に擬似接着されている。【選択図】　　　　図１
2004082581.tif 000002
【特許請求の範囲】
【請求項１】
封筒部が冊子状のフォーム部に一体的に連接され、そのフォーム部に添付される申込書類に必要事項を記入して、前記封筒部に封入可能な封筒一体型フォームにおいて、
前記封筒部の一部に、透視可能な基材を残して、カードを剥離可能なカード部を備えること
を特徴とするカード内蔵封筒一体型フォーム。
【請求項２】
請求項１に記載されたカード内蔵封筒一体型フォームにおいて、
前記カード部は、
前記封筒部の紙片の一部からなるカード基材と、
透明又は半透明で透視可能な透明性基材と、
前記カード基材と前記透明性基材とを貼り合わせる粘着層と、
前記カード基材を前記透明性基材から剥離可能に擬似接着する擬似接着構造層と、
前記透明性基材を残して、前記カード基材をカード形状に分離可能な分離用カット部と、
を備えることを特徴とするカード内蔵封筒一体型フォーム。
【請求項３】
請求項２に記載されたカード内蔵封筒一体型フォームにおいて、
前記透明性基材は、前記封筒部の内側となるように配置したこと
を特徴とするカード内蔵封筒一体型フォーム。
【請求項４】
請求項１から請求項３までのいずれか１項に記載されたカード内蔵封筒一体型フォームを使用するカード内蔵封筒一体型フォームの使用方法において、
前記カード部に設けられた前記擬似接着構造層から前記カード基材を剥離し、前記封筒部に残存した前記透明性基材を通して、前記封筒部の内部に封入した前記申込書の記入内容の少なくとも一部を判読可能にすること
を特徴とするカード内蔵封筒一体型フォームの使用方法。
【発明の詳細な説明】
【０００１】
【発明の属する技術分野】
本発明は、封筒が冊子状のフォームに一体的に連接され、そのフォームに添付される申込書類に必要事項を記入した後に、その封筒に封入して送付できると共に、簡易カードの仮発行ができるカード内蔵封筒一体型フォームとその使用方法に関するものである。
【０００２】
【従来の技術】図４は、従来のカード内蔵封筒一体型フォームの一例を模式的に示した展開斜視図、図５は、従来例によるカード内蔵封筒一体型フォームの層構成と使用方法を示した模式図である。
従来のカード内蔵封筒一体型フォーム１１０は、図４に示すように、台紙１１１上に、封筒部１２０と、フォーム部１３０と、カード部１４０とが設けられている。
【０００３】
封筒部１２０は、図５（ａ）に示すように、台紙１１１上に接着剤層１２２により封筒上紙１２１を接着することによって形成されている。
フォーム部１３０は、台紙１１１上に接着剤層１３２によって複数枚の申込書類１３１を接着することにより形成されている。申込書類１３１は、申込書や申込を行うために宣伝文や約款等が記載された紙片である。
【０００４】
カード部１４０は、封筒上紙１２１の一部からなるカード基材１２１ａと、ラベル基材１４１とが、粘着剤層１４２で貼り合わされ、接着層１４４と剥離層１４５とからなる擬似接着構造層１４３によって、再剥離可能に擬似接着されており、ハーフカット１４６からカード１４０Ａを切り離すことができる。
【０００５】
このカード内蔵封筒一体型フォーム１１０は、図５（ｂ）に示すように、カード部１４０と封筒部１２０との境界にある折り線ａと、フォーム部１３０の中程にある折り線ｂとを、それぞれ、矢印Ａ，Ｂのように内側に折り、さらに、図５（ｃ）に示すように、フォーム部１３０とカード部１４０との境界にある折り線ｃから、矢印Ｃのように折って、配布される。
【０００６】
【発明が解決しようとする課題】
前述した従来のカード内蔵封筒一体型フォーム１１０は、封筒部１２０とは別の位置に、カード１４０Ａを設けており、カード部１４０を含む台紙１１１の上の、右端に封筒部１２０を形成するための用紙、左端にフォーム部１３０を形成するための用紙が、接着剤等で一体化された形態である。
このため、図５（ｂ），（ｃ）で説明したように、面積が大きく、４つ折りしなければ、ならなかった。
【０００７】
また、カード内蔵封筒一体型フォーム１１０は、申し込み率を上げ、確実に回収するために、記入事項が減らせる窓付き封筒にしたいという要請があるが、銀行などの金融機関、駅や空港などのターミナル、コンビニなどに多量に配布されるメールオーダー用紙に使用するために、製造コストが抑えられており、窓付き封筒の採用が難しかった。
【０００８】
本発明の課題は、製造コストを上げることなく、小型でかつ窓付き封筒の採用を実現できるカード内蔵封筒一体型フォームとその使用方法を提供することである。
【０００９】
【課題を解決するための手段】
前記課題を解決するために、請求項１の発明は、封筒部が冊子状のフォーム部に一体的に連接され、そのフォーム部に添付される申込書類に必要事項を記入して、前記封筒部に封入可能な封筒一体型フォームにおいて、前記封筒部の一部に、透視可能な基材を残して、カードを剥離可能なカード部を備えることを特徴とするカード内蔵封筒一体型フォームである。
【００１０】
請求項２の発明は、請求項１に記載されたカード内蔵封筒一体型フォームにおいて、前記カード部は、前記封筒部の紙片の一部からなるカード基材と、透明又は半透明で透視可能な透明性基材と、前記カード基材と前記透明性基材とを貼り合わせる粘着層と、前記カード基材を前記透明性基材から剥離可能に擬似接着する擬似接着構造層と、前記透明性基材を残して、前記カード基材をカード形状に分離可能な分離用カット部と、を備えることを特徴とするカード内蔵封筒一体型フォームである。
【００１１】
請求項３の発明は、請求項２に記載されたカード内蔵封筒一体型フォームにおいて、前記透明性基材は、前記封筒部の内側となるように配置したことを特徴とするカード内蔵封筒一体型フォームである。
【００１２】
請求項４の発明は、請求項１から請求項３までのいずれか１項に記載されたカード内蔵封筒一体型フォームを使用するカード内蔵封筒一体型フォームの使用方法において、前記カード部に設けられた前記擬似接着構造層から前記カード基材を剥離し、前記封筒部に残存した前記透明性基材を通して、前記封筒部の内部に封入した前記申込書の記入内容の少なくとも一部を判読可能にすることを特徴とするカード内蔵封筒一体型フォームの使用方法である。
【００１３】
【発明の実施の形態】
以下、図面等を参照して、本発明の実施の形態について、さらに詳しくに説明する。
図１は、本発明によるカード内蔵封筒一体型フォームの実施形態を示した図である。
なお、前述した従来例と同様の機能を果たす部分には、末尾に共通した符号を付して、重複する説明を適宜省略する。
本実施形態のカード内蔵（返信）封筒一体型フォーム１０は、封筒部２０が冊子状のフォーム部３０に一体的に連接され、そのフォーム部３０に添付される申込書類３１に必要事項を記入した後に、封筒部２０に封入して送付できるようにしたフォームであり、図１に示すように、台紙１１上に、封筒部２０とフォーム部３０とが設けられ、カード部４０は、封筒部２０の一部に設けられている［図１（ａ）］。
【００１４】
封筒部２０は、図２に示すように、台紙１１上に接着剤層２２により封筒上紙２１を接着することによって形成されている。
フォーム部３０は、図１（ｂ）に示すように、台紙１１上に接着剤層３２によって複数枚の申込書類３１を接着することにより形成されている。
【００１５】
この実施形態のカード部４０は、封筒上紙２１の一部を切り離すカード基材２１ａと、透明又は半透明で透視可能な透明性基材４１とが、粘着剤層４２で貼り合わされ、擬似接着構造層４３によって再剥離可能に擬似接着されている。
擬似接着構造層４３は、接着層４４と剥離層４５とからなり、剥離界面Ｄから剥離される。このカード部４０は、ハーフカット４６によってカード形状に分離可能である［図１（ａ）参照］。
また、カード内蔵返信封筒一体型フォーム１０は、折り線ｄ，ｅによって、３つ折りされる。
【００１６】
次いで、本実施形態によるカード内蔵返信封筒一体型フォーム１０の細部の構造を、その使用方法と共に、さらに説明する。
図２は、本実施形態によるカード内蔵封筒一体型フォームの右端の封筒部を拡大して示した図、図３は、カード部を剥離界面で剥離し、封筒部の内部が可視化された状態を示す図である。
このカード内蔵返信封筒一体型フォーム１０は、図２に示すように、残存する透明性基材４１が、カード部４０に対して、封筒部２０の内側となるようにしてある。
【００１７】
図３に示すように、封筒部２０に設けられた擬似接着構造層４３により、カード４０Ａを剥離して仮のカード発行ができる。
このとき、封筒部２０にフォーム部３０の申込書類３１を封入すると、封筒部２０に残存した透明性基材４１を通して、封筒部２０の内部Ｅに封入した申込書類３１の記入内容の少なくとも一部が判読することができる。つまり、残存する透明性基材４１によって、封筒部２０の内部Ｅを透視可能な窓付きの封筒部２０Ａになる。
【００１８】
このように、本実施形態のフォーム１０は、従来のものと比較すると、申込書類３１のフォーム部３０側は、従来と同じデザインのままで、封筒部２０を右端に設けられるので、大まかに言って、台紙１１の幅が３／４に小型化された。
従って、台紙１１のサイズが小さくなることによって、コストダウンや環境保護が図れる。
【００１９】
また、残存する透明性基材４１によって、コストアップすることなく、内部を透視可能な窓付きの封筒とすることができる。
このとき、例えば、申込書類３１は、送付先が複数あるような書類であれば、透明性基材４１の部分が『宛名欄』となるようにすればよい。また、送付先が固定の場合には、送付先をプレ印刷とし、申込者が可変となるため、『差出人欄』が透明性基材４１の部分から透過できるよう配置することが望ましい。
差出人（＝申込者）が透明性基材４１を介して透視可能であれば、申込者は、これまで封筒外側に記入していた差出人の表記が不要になり、省力化が図れ、かつ、申込先（例えば、クレジットカード会社）等での、封筒廃棄時のプライバシー保護に役立つ。
【００２０】
（変形形態）
以上説明した実施形態に限定されることなく、種々の変形や変更が可能であって、それらも本発明の均等の範囲内である。
（１）　封筒部２０は、１枚の用紙を折り返して形成し、封筒部２０の底に相当する部分は、接着剤層２２の貼り合せ構造とならなくてもよい。
（２）カードは、仮カードの例で説明したが、申込内容の控えや引換券に使用してもよい。
【００２１】
（３）　擬似接着構造層は、
（ａ）再剥離性接着剤／再剥離性接着剤の積層構造であって、接着性樹脂に一定粒径の顔料を添加したもの、
（ｂ）再剥離性接着剤（ラベル基材の積層構造）を用い、前記（ａ）を改良した弱接着剤型のもの、
（ｃ）オレフィン系樹脂／非オレフィン系樹脂の積層構造であって、透明フィルムの擬似接着構造のもの、
（ｄ）接着剤層／剥離層、又は、剥離層／接着剤層の積層構造であって、剥離インキによる接着・剥離構造のもの、
（ｅ）静電気を利用するもの、
（ｆ）真空吸着（吸盤）を利用するもの、
（ｇ）粘着剤（基材をラベルとして活用する場合）を利用するもの、
のいずれであってもよい。
【００２２】
【発明の効果】
以上詳しく説明したように、本発明によれば、封筒部に設けられたカード部からカードを剥離して、透視可能な基材を残存させるので、製造コストを上げることなく、小型化が図れると共に、窓付き封筒の採用を実現できる、という効果がある。
【図面の簡単な説明】
【図１】本発明によるカード内蔵封筒一体型フォームの実施形態を示した図である。
【図２】本実施形態によるカード内蔵封筒一体型フォームの右端の封筒部を拡大して示した図である。
【図３】本実施形態によるカード内蔵封筒一体型フォームのカード部を剥離界面で剥離し、封筒部の内部が可視化された状態を示す図である。
【図４】従来のカード内蔵封筒一体型フォームの一例を模式的に示した展開斜視図である。
【図５】従来例によるカード内蔵封筒一体型フォームの層構成と使用方法を示した模式図である。
【符号の説明】
１０　カード内蔵封筒一体型フォーム
１１　台紙
２０　封筒部
２１　封筒上紙
２１ａ　カード基材
２２　接着剤層
３０　フォーム部
３１　申込書類
３２　接着剤層
４０　カード部
４１　透明性基材
４２　粘着剤層
４３　擬似接着構造層
４４　接着層
４５　剥離層
４６　ハーフカット
【図１】
2004082581.tif 000003
【図２】
2004082581.tif 000004
【図３】
2004082581.tif 000005
【図４】
2004082581.tif 000006
【図５】
2004082581.tif 000007